(57)【要約】【課題】見映えの良い綺麗な傘等は草花や観葉植物を陳列するのと同様に装飾の一部として正面に目立つように収納でき、デザイン性のない傘等は従来の様に目立たぬ背面側に収納することができる構造の傘・フラワーポットスタンドを提供すること。【解決手段】垂直姿勢を後方に傾斜させた状態の前面起立体１と、その前面起立体１の左右両側面の上端近くに回動自在に軸止めして前面起立体１を支持する後方脚２からなり、前記前面起立体１には草花のポット等を支持する着脱自在な物品支持具を複数配置し、前記後方脚２は左右脚部材が連結された構造で、前記前面起立体１の下部と前記後方脚２の下部に亘る底板４を取付け、傘等を前記前面起立体１の背面側に収納または前面起立体１を貫通して収納できる。【選択図】図１
0003161157.tif 000002
【実用新案登録請求の範囲】
【請求項１】
垂直姿勢を後方に傾斜させた状態の前面起立体と、その前面起立体の左右両側面の上端近くに回動自在に軸止めして前面起立体を支持する後方脚からなり、前記前面起立体には草花のポット等を支持する着脱自在な物品支持具を複数配置し、前記後方脚は左右脚部材が連結された構造で、前記前面起立体の下部と前記後方脚の下部に亘る底板を取付け、傘等を前記前面起立体の背面側に収納、または前面起立体を貫通して収納できることを特長とする傘・フラワーポットスタンド。
【請求項２】
前面起立体は複数の開口部を形成し、一方、草花のポット等を支持する物品支持具は底部に切込み部を形成した容器であり、その切込み部に前記開口部の下端縁を差し込むことにより、前記容器を前面起立体に着脱自在に固定したことを特長とする請求項１記載の傘・フラワーポットスタンド。
【請求項３】
前面起立体は、升目が傘を差し込むことができる大きさの格子体であり、物品支持具は植木鉢やプランターを載置して前記格子体に引掛けることができる掛け金具であることを特長とする請求項１記載の傘・フラワーポットスタンド。
【請求項４】
後方脚は傘等を支持する略コ字形の上支持線材を前面起立体と共に左右脚部材上端に軸止めし、中連結線材と下連結線材でそれぞれ左右脚部材の中間部及び下端部を連結し、前記上ガイドは水平状態から垂直状態に回動可能としたことを特長とする請求項１ないし３のいずれか１つに記載の傘・フラワーポットスタンド。
【考案の詳細な説明】
【技術分野】
【０００１】
本考案は、傘あるいはステッキ等（以下、傘等という）を収納保持することができる機能と草花や観葉植物のポット等を支持できる機能とを併せ持つ傘・フラワーポットスタンドであり、詳しくは草花や観葉植物をメインに陳列して傘等を正面からあまり見えないように収納したり、反対に草花や観葉植物と同じように傘等も正面から良く見えるように置いたりすることができる傘・フラワーポットスタンドに関するものである。
【背景技術】
【０００２】
従来、傘は黒色が主流であり他の色にしても地味な色か、目立つ色としては子供用の黄色のものしかなかった。しかし女性用は言うにおよばず男性用も、様々な明るい色の傘や模様がプリントされた綺麗な傘が増え、雨の日に通りを見下ろすと華やいだ色とりどりの傘の花が見られるようになった。また、ステッキも模様が施されたりグリップが凝ったデザインのものが多く市販されている。そのように傘等の色や模様は変わって、傘立て自体もシューズラックやフラワースタンドと組合わせたりしたものが市販されているが、傘等の収納方法に関しては従来と変わらず綺麗な傘もそうでない傘も同じように収納していた。
【０００３】
すでに出願されている傘・フラワーポットスタンドとしては以下のものがある。
(1)腕の先端のリング状枠に受け皿を嵌め込み、直立させた支柱の回りに複数配置したポール型の「多目的フロアスタンド」。
(2)プランターの一部に傘の先端部を差込んで傘を立てるプランター型の「傘立型プランター」。
(3)筒型の傘立てに水平に回動する蓋を設け、その蓋の上に植木鉢を乗せるようにした筒型の「傘立て」。
(4)上段に配置されたプランターボックスの下に、前方に傾斜可能に配置した横長ボックス型の「傘立て」。
【０００４】
しかし、上記(1)の「多目的フロアスタンド」及び(2)の「傘立型プランター」は収納した傘のほとんど全体が見える反面、隠すように収納することは出来ない。また、(3)の筒型の「傘立て」と(4)のボックス型の「傘立て」は収納した傘のほとんどが隠れた状態であり、もっと目に付きやすいような収納はできない。
【先行技術文献】
【特許文献】
【０００５】
【特許文献１】登録実用新案第３０２４２７７号公報
【特許文献２】登録実用新案第３０３０２０９号公報
【特許文献３】公開実用新案平４−４８８７３号公報
【特許文献４】公開実用新案昭６２−１８２６７７号公報
【考案の概要】
【考案が解決しようとする課題】
【０００６】
本考案が解決しようとする問題点は、見映えの良い綺麗な傘等は草花や観葉植物を陳列するのと同様に装飾の一部として正面に目立つように収納でき、デザイン性のない傘等は従来の様に目立たぬ背面に収納することができる構造の傘・フラワーポットスタンドを提供することである。
【課題を解決するための手段】
【０００７】
請求項１の考案の傘・フラワーポットスタンドは、垂直姿勢を後方に傾斜させた状態の前面起立体と、その前面起立体の左右両側面の上端近くに回動自在に軸止めして前面起立体を支持する後方脚からなり、前記前面起立体には草花のポット等を支持する着脱自在な物品支持具を複数配置し、前記後方脚は左右脚部材が連結された構造で、前記前面起立体の下部と前記後方脚の下部に亘る底板を取付け、傘等を前記前面起立体の背面側に収納、または前面起立体を貫通して収納できることを特長とする。
【０００８】
したがって傘等を従来どおり目立たぬように収納しておきたい場合は前面起立体の背面側に収納することができ、反対に草花のポット等を陳列するのと同様に収納する場合は、前面起立体を貫通して収納することにより傘等のグリップや他の部分が正面から見えるように収納することができる。
【０００９】
請求項２の考案において、前面起立体は複数の開口部を形成し、一方、草花のポット等を支持する物品支持具は底部に切込み部を形成した容器であり、その切込み部に前記開口部の下端縁を差し込むことにより、前記容器を前面起立体に着脱自在に固定したことを特長とする。
【００１０】
このように構成することにより、前面起立体から物品支持具の容器と共に草花のポット等を取り外して単独で置いて飾ることができると共に、取り外した後の前面起立体の開口部に傘等を差し込んで収納することができる。
【００１１】
請求項３の考案において、前面起立体は升目が傘を差し込むことができる大きさの格子体であり、物品支持具は植木鉢やプランターを載置して前記格子体に引掛けることができる掛け金具であることを特長とする。
【００１２】
このように構成することにより、格子の升目に掛け金具を引掛けてそれに植木鉢やプランターを載せて装飾することにより前面起立体の背面に収納した傘等の目隠しとすることが出来ると共に、空いている升目に傘等を差し込んで植木鉢やプランターと同様に見せるための収納とすることもできる。
【００１３】
請求項４の考案において、後方脚は傘等を支持する略コ字形の上支持線材を前面起立体と共に左右脚部材上端に軸止めし、中連結線材と下連結線材でそれぞれ左右脚部材の中間部及び下端部を連結し、前記上ガイドは水平状態から垂直状態に回動可能としたことを特長とする。
【００１４】
このように構成することにより、前記支持線材および連結線材を支えとして前面起立体の背面に傘等を収納することができると共に、前記上支持線材を垂直状態にすることにより持ち運ぶ時の把手とすることができる。
【考案の効果】
【００１５】
以上のように本考案は、傘等を従来どおり目立たせること無く前面起立体の背面に収納してその前面起立体に花等を陳列するという使用方法の他に、傘等を観葉植物と同じように陳列して見せるという感覚で収納することができる。このような使用法においては観葉植物や草花と共に様々な色や模様の傘等によって飾られ華やいだ雰囲気になり、また傘等が十分に良く見えるため他人のものと自分のものを間違うことがないという利点がある。
【図面の簡単な説明】
【００１６】
【図１】使用例を示した斜視図
【図２】他の使用例を示した斜視図
【図３】他の実施形態を示した斜視図
【図４】折り畳んだ状態を示した斜視図
【考案を実施するための形態】
【００１７】
以下、本考案の実施の形態を図面に基づき説明する。
【実施例１】
【００１８】
図１および図２に記載の傘・フラワーポットスタンドにおいて、前面起立体１は楕円形状の開口部１ａを複数形成した長方形板材の四辺を折り曲げたものであり、後方脚２は左右脚部材２Ｌ、２Ｒを略コ字形の上支持線材２ａと共に前面起立体１の左右両側面の上端近くにそれぞれ回動自在に軸止めし中連結線材２ｂおよび下連結線材２ｃで連結して一体化したものである。
【００１９】
本考案の傘・フラワーポットスタンドは、前面起立体１と後方脚２を側面視が山形となるよう立設し、前面起立体１の下端縁と後方脚２の下連結線材２ｃに底板４を架け渡し、前面起立体１の背面と上支持線材２ａおよび中連結線材２ｂの間に傘Ａまたステッキ等を差し入れて底板で受ける。（図１）
【００２０】
上記の状態においては、複数の草花や観葉植物等が正面に配置されるので前面起立体１の背面に収納した傘Ａはあまり目立つことがないので、実用本位の黒い傘等の収納に適している。
【００２１】
一方、草花や観葉植物のポットＰ１を支持する物品支持具は底部に切込み部３ａを形成した容器３であり、前面起立体１の開口部１ａの下端縁を切込み部３ａに差し込むことにより容器３を前面起立体１に着脱自在に固定している。容器３を取り外した開口部１ａから傘Ａまたはステッキを差し込んで収納すると、正面からは草花や観葉植物と一緒に並んで傘Ａやステッキの上部が見えるので、色の綺麗な傘や、模様が施されたりデザインが凝ったグリップのステッキの収納に適している。（図２）
【００２２】
上述のように、傘等の色やデザインにより、また、傘・フラワーポットスタンドを配置する玄関先の周りの状況に合わせて、傘等の収納方法を選ぶことができる。
【００２３】
図３は、図１および図２の実施例とは別の実施例の傘・フラワーポットスタンドを示したものであり、前面起立体１０は、枠材の中に斜め格子１０ａを組み込んだ構造で、その格子１０ａの升目は傘Ａを差し込むことが出来る大きさにしている。物品支持具は植木鉢Ｐ２を載置できる掛け金具３１およびプランターＰ３を載置できる掛け金具３０であり前記格子１０ａに引掛けることができる。他の構造は図１および図２の実施例と同じである。
【００２４】
前述の実施例と同様に、前面起立体１０の背面に傘を収納し、正面に複数の草花や観葉植物等を配置すると傘はあまり目立つことがないので、実用本位の黒い傘等の収納に適している。また、色や模様が綺麗な傘Ａ等は格子１０ａの升目に挿し込んで草花や観葉植物と一緒に並べて収納することもできる。
【００２５】
図４は、図１および図２に記載の実施例の傘・フラワーポットスタンドにおいて、底板４および草花や観葉植物のポット等を支持する容器３を取外した上で、前面起立体１に後方脚２を重ね合わせた状態を示したもので、略コ字形の上支持線材２ａを垂直状態に回動して、持ち運ぶ時の把手にした状態を示している。
【符号の説明】
【００２６】
１    前面起立体
１ａ  開口部
２    後方脚
２ａ  上支持線材
２ｂ  中連結線材
２ｃ  下連結線材
２Ｌ  左脚部材
３    容器
３ａ  切込み部
４    底板
１０  前面起立体
１０ａ  格子
３０、３１  掛け金具
Ａ    傘
Ｐ１  ポット
Ｐ２  植木鉢
Ｐ３  プランター
【図１】
0003161157.tif 000003
【図２】
0003161157.tif 000004
【図３】
0003161157.tif 000005
【図４】
0003161157.tif 000006